(57)【要約】【課題】  保護シートの上下寸法の変更が容易であって、無段階の調整が可能であり、美感に優れ、さらに幼児にとっても危険の少ない安全柵を提供する。【解決手段】  安全柵１００は、上下一対の水平部材１１、１２を有する枠体１０と、上下一対の水平部材１１、１２に取り付けられた保護シート３０と、を備えている。上下一対の水平部材１１、１２は所定の最小間隔から最大間隔まで上下間隔が変更可能に構成されている。保護シート３０は、少なくとも一部が伸縮材料によって形成されており、伸縮材料によって形成された部分の伸縮により、前記最小間隔から前記最大間隔まで上下寸法が変更可能である。【選択図】図１
2015104528.tif 000002
【特許請求の範囲】
【請求項１】
上下一対の水平部材を有する枠体と、
前記上下一対の水平部材に取り付けられた保護シートと、を備え、
前記上下一対の水平部材は所定の最小間隔から最大間隔まで上下間隔が変更可能に構成されており、
前記保護シートは、少なくとも一部が伸縮材料によって形成されており、前記伸縮材料によって形成された部分の伸縮により、前記最小間隔から前記最大間隔まで上下寸法が変更可能に構成されている、安全柵。
【請求項２】
前記保護シートは、前記上下一対の水平部材が挿入される上下一対の水平袖部を有し、
前記上下一対の水平袖部のうち少なくとも一方が前記伸縮材料によって形成されている、請求項１に記載の安全柵。
【請求項３】
前記枠体は、左右一対の鉛直部材を有し、
前記保護シートは、前記左右一対の鉛直部材が挿入される左右一対の鉛直袖部を有し、
前記上下一対の水平袖部及び前記左右一対の鉛直袖部が全体として環状に連結されており、
前記左右一対の鉛直袖部が非伸縮材料によって形成されている、請求項２に記載の安全柵。
【請求項４】
前記上下一対の水平袖部のうち一方が非伸縮材料によって形成されている、請求項３に記載の安全柵。
【請求項５】
前記保護シートは、網状のシート本体部を有し、
前記シート本体部は前記伸縮材料によって形成されている、請求項１又は２に記載の安全柵。
【請求項６】
前記枠体は、左右間隔が変更可能な左右一対の鉛直部材を有し、
前記保護シートは、前記左右一対の鉛直部材が挿入される左右一対の鉛直袖部を有し、
前記左右一対の鉛直袖部のうち少なくとも一方が伸縮材料によって形成されている、請求項１、２、５のうちいずれか一の項に記載の安全柵。
【発明の詳細な説明】
【技術分野】
【０００１】
本発明は、通路に設置して幼児やペットの通行を規制する安全柵に関する。
【背景技術】
【０００２】
この種の安全柵として、特許文献１には枠体（１０）にシート状の保護部材（５４）を取り付けた幼児用安全柵が開示されている。この幼児用安全柵は、保護者が通路を通行できるように、枠体（１０）の上突張り部材（１８）を一時的に押し下げることができるよう構成されている。なお、保護部材（５４）は、上突張り部材（１８）が押し下げられたときに変形できるよう可撓性の材料で形成されている（段落［００３７］参照）。
【０００３】
このように、特許文献１に記載の幼児用安全柵は、一時的に高さを低くするものであるが、例えば幼児の身長に応じて設置高さ（上突張り部材を押し下げていないときの高さ）を変えることは想定していない。仮に、この幼児用安全柵の設置高さを下げると、保護部材（５４）がたるんだ状態となる。
【０００４】
これに対し、特許文献２には、設置高さを調整することができ、設置高さを下げたときに、シート状部材（９）がたるまないように構成した通行規制柵（１）が開示されている。具体的には、設置高さを下げたとき、シート状部材（９）の端部を折り返して固定用のボタン（４７）をボタンホール（４９）に留め、これによりシート状部材（９）の上下寸法を小さくしてたるみを防いでいる（段落［００２２］等参照）。
【先行技術文献】
【特許文献】
【０００５】
【特許文献１】特開２００７−１４５８７号公報
【特許文献２】特許第５１３７９８９号公報
【発明の概要】
【発明が解決しようとする課題】
【０００６】
しかしながら、特許文献２に記載の通行規制柵（１）は、シート状部材（９）の上下寸法を変更する際、ボタン（４７）をボタンホール（４９）に留めたり外したりする作業が必要であり、また、当該上下寸法は段階的にしか調整ができない（最大で３段階）。しかも、ボタン（４７）やボタンホール（４９）が外部から見えるため、外観上も好ましくない。さらに、シート状部材（９）の折り返した部分に幼児の首などが引っ掛かると非常に危険である。
【０００７】
本発明は、このような事情に鑑みてなされたものであり、保護シート（特許文献２でいう「シート状部材」）の上下寸法の変更が容易であって、無段階の調整が可能であり、美感にも優れ、さらに幼児にとっても危険の少ない安全柵を提供することを目的としている。
【課題を解決するための手段】
【０００８】
本発明の一形態に係る安全柵は、上下一対の水平部材を有する枠体と、前記上下一対の水平部材に取り付けられた保護シートと、を備え、前記上下一対の水平部材は所定の最小間隔から最大間隔まで上下間隔が変更可能に構成されており、前記保護シートは、少なくとも一部が伸縮材料によって形成されており、前記伸縮材料によって形成された部分の伸縮により、前記最小間隔から前記最大間隔まで上下寸法が変更可能に構成されている。
【０００９】
かかる構成によれば、安全柵の設置高さを変更する際、伸縮材料によって形成された部分の伸縮によって保護シートの上下寸法が変更される。そのため、当該上下寸法の変更が容易であって、無段階の調整が可能である。さらに、当該上下寸法の変更を行うための留め具等が不要であるため、美感に優れたものとなる。また、保護シートに折り返し部分が生じないため、幼児の体が引っ掛かることもなく安全である。
【００１０】
また、上記の安全柵において、前記保護シートは、前記上下一対の水平部材が挿入される上下一対の水平袖部を有し、前記上下一対の水平袖部のうち少なくとも一方が前記伸縮材料によって形成されていてもよい。かかる構成によれば、少なくとも一方の水平袖部を伸縮材料によって形成すれば足り、安全柵を簡易な構造とすることができる。
【００１１】
また、上記の安全柵において、前記枠体は、左右一対の鉛直部材を有し、前記保護シートは、前記左右一対の鉛直部材が挿入される左右一対の鉛直袖部を有し、前記上下一対の水平袖部及び前記左右一対の鉛直袖部が全体として環状に連結されており、前記左右一対の鉛直袖部が非伸縮材料によって形成されていてもよい。かかる構成によれば、保護シートのうち少なくとも右辺及び左辺にあたる両鉛直袖部が非伸縮材料で形成されるため、水平袖部が伸縮しても保護シートの形状が維持されて、保護シートの歪みを抑えることができる。
【００１２】
また、上記の安全柵において、前記上下一対の水平袖部のうち一方が非伸縮材料によって形成されていてもよい。かかる構成によれば、保護シートの右辺及び左辺にあたる両鉛直袖部に加え、上辺又は下辺にあたる水平袖部が非伸縮材料で形成されるため、保護シートの歪みをより一層抑えることができる。
【００１３】
また、前記保護シートは、網状のシート本体部を有し、前記シート本体部は前記伸縮材料によって形成されていてもよい。この構成の場合であっても、留め具等を用いずに保護シートの上下寸法を変更でき、無段階の調整も可能である。
【００１４】
また、前記枠体は、左右間隔が変更可能な左右一対の鉛直部材を有し、前記保護シートは、前記左右一対の鉛直部材が挿入される左右一対の鉛直袖部を有し、前記左右一対の鉛直袖部のうち少なくとも一方が伸縮材料によって形成されていてもよい。かかる構成によれば、保護シートの上下寸法のみならず左右寸法も留め具等を用いずに変更することができる。
【発明の効果】
【００１５】
上記の構成によれば、保護シートの上下寸法の変更が容易であって、無段階の調整が可能であり、美感に優れ、さらに幼児にとっても危険の少ない安全柵を提供することができる。
【図面の簡単な説明】
【００１６】
【図１】図１は、一実施形態に係る安全柵の正面図である。
【図２】図２は、図１に示す枠体の正面図である。
【図３】図３は、他の実施形態を含む保護シートの模式図である。
【発明を実施するための形態】
【００１７】
以下、本発明の実施形態について図を参照しながら説明する。以下では、全ての図面を通じて同一又は相当する要素には同じ符号を付して、重複する説明は省略する。
【００１８】
図１は、本実施形態に係る安全柵１００の正面図である。安全柵１００は、通路を挟んで対向する壁１０１（又は柱）の間に取り付けて、幼児やペットが通路を通行するのを規制するためのものである。図１に示すように、安全柵１００は、枠体１０と、保護シート３０と、を備えている。以下、これらの構成要素について順に説明する。
【００１９】
＜枠体＞
枠体１０は、安全柵１００の骨組みに当たる部分である。図２は、枠体１０の正面図である。図２に示すように、枠体１０は矩形枠状に形成されており、上水平部材１１と、下水平部材１２と、右鉛直部材１３と、左鉛直部材１４とを有している。
【００２０】
上水平部材１１は、水平方向に延びて、枠体１０の上辺を形成する部材である。上水平部材１１は、外側ポール１５と、内側ポール１６とを有している。この内側ポール１６を外側ポール１５に対して周方向に回転させると、内側ポール１６が外側ポール１５内を軸方向に移動し、上水平部材１１の長さが変化する。上水平部材１１は、後述するスライドソケット１７を介して左右の壁１０１に取り付けられている。上水平部材１１を伸ばして両壁１０１を突っ張った状態にすれば、上水平部材１１を左右の壁１０１の間に固定することができる。
【００２１】
前述のスライドソケット１７は、上水平部材１１よりも左右方向外側に位置しており、両面テープ又はネジを用いて壁１０１の所定位置に固定されている。スライドソケット１７は、上下方向に延びる凹部１８を有している。この凹部１８には上水平部材１１の端部が挿入され、この凹部１８に沿って上水平部材１１は上下方向に移動することができる。つまり、凹部１８はガイドの役割を果たしている。
【００２２】
下水平部材１２は、水平方向に延びて、枠体１０の下辺を形成する部材である。下水平部材１２は、基本的に上水平部材１１と同じ構成であるため、対応する要素に同一の符号を付して説明を省略する。ただし、下水平部材１２は、スライドソケット１７ではなく、定点ソケット１９を介して壁１０１に取り付けられている。下水平部材１２は、定点ソケット１９に沿って上下方向に移動することはない。
【００２３】
右鉛直部材１３は、鉛直方向に延びて、枠体１０の右辺を形成する部材である。右鉛直部材１３は、固定ポール２０と、固定ポール２０内を摺動可能な摺動ポール２１とを有している。摺動ポール２１が固定ポール２０内を摺動することで、右鉛直部材１３は上下方向に伸縮する。右鉛直部材１３は下端にフック部２２を有している。このフック部２２は下水平部材１２に引っ掛けられており、これにより右鉛直部材１３の下端と下水平部材１２は連結されている。また、右鉛直部材１３の上端は、Ｔ字状のジョイント部材２３を介して上水平部材１１に連結されている。なお、右鉛直部材１３は、上水平部材１１及び下水平部材１２に取り付けられた状態で、左右方向に移動することができる。
【００２４】
左鉛直部材１４は、鉛直方向に延びて、枠体１０の左辺を形成する部材である。左鉛直部材１４の構成は、基本的に右鉛直部材１３の構成と同じであるため、対応する要素に同一の符号を付して説明を省略する。
【００２５】
枠体１０は以上のとおり構成されており、上水平部材１１をスライドソケット１７に沿って上下方向に移動させることで、安全柵１００の設置高さを調整することができる。上水平部材１１がスライドソケット１７の凹部１８の上端部分（最上位）にあるとき、上水平部材１１と下水平部材１２（上下一対の水平部材１１、１２）の上下間隔が最大間隔となる。なお、ここでいう「上下間隔」とは、上水平部材１１の上縁から下水平部材１２の下縁までの距離をいう。また、上水平部材１１がスライドソケット１７の凹部１８の下端部分（最下位）にあるとき、上水平部材１１と下水平部材１２の上下間隔が最小間隔となる。なお、上水平部材１１が上下方向に移動するのに伴って、右鉛直部材１３及び左鉛直部材１４（左右一対の鉛直部材１３、１４）は上下方向に伸縮する。
【００２６】
＜保護シート＞
保護シート３０は、枠体１０に取り付けられるシートである。図１に示すように、保護シート３０は、シート本体部３１と、上水平袖部３２と、下水平袖部３３と、右鉛直袖部３４と、左鉛直袖部３５と、を有している。
【００２７】
シート本体部３１は、保護シート３０の中央部分に位置し、網状に形成されている。また、上水平袖部３２及び下水平袖部３３（上下一対の水平袖部３２、３３）は、それぞれシート本体部３１の上縁及び下縁に取り付けられている。右鉛直袖部３４及び左鉛直袖部３５（左右一対の鉛直袖部３４、３５）は、それぞれシート本体部３１の右縁及び左縁に取り付けられている。さらに、上水平袖部３２、下水平袖部３３、右鉛直袖部３４、及び左鉛直袖部３５は、いずれも筒状に形成されており、それぞれ枠体１０の上水平部材１１、下水平部材１２、右鉛直部材１３、及び左鉛直部材１４が挿入されている。
【００２８】
本実施形態では、保護シート３０のうち下水平袖部３３のみが、合成ゴム等の伸縮材料によって形成されている。そして、下水平袖部３３は、上水平部材１１の最下位から最上位までの移動距離と同じかそれよりも大きく伸縮するよう構成されている。つまり、保護シート３０は、下水平袖部３３の伸縮により、上水平部材１１と下水平部材１２の最小間隔から最大間隔まで上下寸法が変更可能に構成されている。よって、本実施形態に係る安全柵１００によれば、留め具等を用いずに保護シート３０の上下寸法を変更することができる。そのため、保護シート３０の上下寸法の変更が容易であって、無段階の調整が可能であり、美感に優れている。また、保護シート３０の上下寸法を小さくしたときに折り返し部分が生じないため、幼児が折り返し部分に引っ掛かることもなく安全である。
【００２９】
また、本実施形態では、保護シート３０のうちシート本体部３１、上水平袖部３２、右鉛直袖部３４、及び左鉛直袖部３５が、合成繊維等の非伸縮材料によって形成されている。さらに、上水平袖部３２、下水平袖部３３、右鉛直袖部３４、及び左鉛直袖部３５は、シート本体部３１を囲むようにして環状に連結されている。そのため、保護シート３０の上下寸法を変化させる際に下水平袖部３３が伸縮しても、保護シート３０の上辺、右辺、及び下辺にあたる袖部３２、３４、３５は伸縮せず、保護シート３０の歪みを抑えることができる。つまり、本実施形態の保護シート３０は、上下方向寸法が変化する前後における形状の変化が小さいため、一層優れた美感を得ることができる。
【００３０】
＜変形例１＞
次に、本実施形態の変形例１について説明する。図３は、前述した実施形態及び各変形例の保護シート３０の模式図である。図３（ａ）乃至（ｅ）では、保護シート３０を構成するシート本体部３１、上水平袖部３２、下水平袖部３３、右鉛直袖部３４、及び左鉛直袖部３５を模式的に示しており、伸縮材料によって形成されている部分には斜線を施している。例えば、図３（ａ）は、前述した実施形態の保護シート３０を模式的に示しており、前述したように、保護シート３０のうち下水平袖部３３が伸縮材料で形成されているため、下水平袖部３３に斜線が施されている。
【００３１】
図３（ｂ）は、変形例１の保護シート３０の模式図である。図３（ｂ）に示すように、変形例１の保護シート３０は、上水平袖部３２及び下水平袖部３３が伸縮材料で形成されており、シート本体部３１、右鉛直袖部３４、及び左鉛直袖部３５が非伸縮材料で形成されている。なお、変形例１の枠体１０は、前述の実施形態の枠体１０と基本的に同じ構成を有している。
【００３２】
変形例１に係る安全柵１００によれば、下水平袖部３３のみならず上水平袖部３２が伸縮材料によって形成される分、前述した実施形態の場合に比べて下水平袖部３３の伸縮量が少なくてもよいため、伸縮材料の選択肢を広げることができる。なお、変形例１の場合でも、保護シート３０の右辺及び左辺にあたる右鉛直袖部３４及び左鉛直袖部３５が非伸縮材料で形成されているため、保護シート３０の上下寸法の変更に伴う歪みを抑えることができる。
【００３３】
＜変形例２＞
続いて、本実施形態の変形例２について説明する。変形例２の枠体１０は、前述の実施形態の枠体１０と基本的に同じ構成を有している。ただし、変形例２の枠体１０では、右鉛直部材１３及び左鉛直部材１４が任意の左右方向位置に固定することができる。つまり、右鉛直部材１３と左鉛直部材１４の左右間隔を任意に変更することができる。
【００３４】
図３（ｃ）は、変形例２の保護シート３０の模式図である。図３（ｃ）に示すように、変形例２の保護シート３０は、上水平袖部３２、下水平袖部３３、右鉛直袖部３４、及び左鉛直袖部３５が伸縮材料で形成されており、シート本体部３１が非伸縮材料で形成されている。
【００３５】
変形例２に係る安全柵１００は、上水平部材１１と下水平部材１２の上下間隔が変更される場合に加えて、右鉛直部材１３と左鉛直部材１４の左右間隔が変更される場合にも、各間隔に応じて留め具等を用いずに保護シート３０の寸法を変更できる。なお、変形例２では、右鉛直袖部１３及び左鉛直袖部１４の両方が伸縮材料で形成されているが、このうち一方のみが伸縮材料で形成されていてもよい。
【００３６】
＜変形例３＞
続いて、本実施形態の変形例３について説明する。図３（ｄ）は、変形例３の保護シート３０の模式図である。図３（ｄ）に示すように、変形例３の保護シート３０は、シート本体部３１、上水平袖部３２、下水平袖部３３、右鉛直袖部３４、及び左鉛直袖部３５の全てが伸縮材料で形成されている。なお、変形例３の枠体１０は、前述の実施形態の枠体１０と基本的に同じ構成を有している。
【００３７】
変形例３に係る安全柵１００によれば、下水平袖部３３及び上水平袖部３２に加え、シート本体部３１も伸縮部材によって形成されているため、伸縮材料の選択肢をより一層広げることができる。また、右鉛直袖部３４及び左鉛直袖部３５も伸縮材料によって形成されているため、シート本体部３１の上下方向の伸縮を妨げることはない。
【００３８】
＜変形例４＞
続いて、本実施形態の変形例４について説明する。図３（ｅ）は、変形例４の保護シート３０の模式図である。図３（ｅ）に示すように、変形例４の保護シート３０は、シート本体部３１のみが伸縮材料で形成されており、上水平袖部３２、下水平袖部３３、右鉛直袖部３４、及び左鉛直袖部３５が非伸縮材料で形成されている。また、変形例４では、各袖部３２、３３、３４、３５が直接連結されておらず、互いに離間している。なお、変形例４の枠体１０は、前述の実施形態の枠体１０と基本的に同じ構成を有している。
【００３９】
変形例４に係る安全柵１００によれば、保護シート３０のうち表面積の大きいシート本体部３１が伸縮材料で形成されるため、比較的伸縮率の小さい伸縮部材を用いたとしても、保護シート３０全体として大きな伸縮量を得ることができる。なお、各袖部３２、３３、３４、３５が互いに離間しているため、保護シート３０の伸縮を妨げることはない。
【００４０】
以上、実施形態について図を参照して説明したが、具体的な構成はこれらの実施形態に限られるものではなく、この発明の要旨を逸脱しない範囲の設計の変更等があっても本発明に含まれる。
【産業上の利用可能性】
【００４１】
本発明によれば、保護シートの上下寸法の変更が容易であって、無段階の調整が可能であり、美感に優れ、さらに幼児にとっても危険の少ない安全柵を提供することができる。そのため、安全柵の技術分野において有益である。
【符号の説明】
【００４２】
１０  枠体
１１  上水平部材
１２  下水平部材
１３  右鉛直部材
１４  左鉛直部材
３０  保護シート
３１  シート本体部
３２  上水平袖部
３３  下水平袖部
３４  右水平袖部
３５  左水平袖部
１００  安全柵
【図１】
2015104528.tif 000003
【図２】
2015104528.tif 000004
【図３】
2015104528.tif 000005